(57)【要約】  【課題】  設定時刻より前に放送終了予定の番組が延長した場合であっても、延長した番組の次に放送される番組を冒頭から最後まで録画することができる録画装置を提供する。  【解決手段】  画像を有する番組及び該番組に付加されていて、前記番組に対応する番組コードを有する放送信号から番組コードを抽出してデコードする番組コードデコーダ３と、番組を録画する録画部５と、番組の録画を開始する設定時刻を受け付ける操作部９と、時計部４ａとを備える録画装置に、設定時刻より所定時間前の時刻を時計部４ａが計時した場合に、番組コードデコーダ３がデコードした番組コードを記憶するＲＡＭ７と、ＲＡＭ７が記憶した番組コード及び設定時刻を時計部４ａが計時した場合に番組コードデコーダ３がデコードした番組コードが一致しているか否かを判定する判定手段と、該判定手段が一致していないと判定した場合、番組の録画を開始させる開始手段とを備える。【選択図】        図１
2006319920.tif 000002
【特許請求の範囲】
【請求項１】
画像を有する番組及び該番組に付加されていて、前記番組に対応する番組コードを受信する受信手段と、該受信手段が受信した番組を録画する録画手段と、番組の録画を開始する設定時刻を受け付ける受付手段と、計時手段とを備える録画装置において、
前記受付手段が受け付けた設定時刻より所定時間前の時刻を前記計時手段が計時した場合、前記受信手段が受信している番組コードを逐次取得する取得手段と、
前記所定時間前の時刻を前記計時手段が計時した場合、前記取得手段が取得している番組コードを記憶する記憶手段と、
前記計時手段が前記設定時刻を計時した場合、前記取得手段が取得している番組コード及び前記記憶手段が記憶した番組コードが一致しているか否かを判定する判定手段と、
該判定手段が否と判定した場合、前記録画手段による番組の録画を開始させる開始手段と
を備えることを特徴とする録画装置。
【請求項２】
前記判定手段が一致していると判定した場合、前記取得手段が取得している番組コード及び前記記憶手段が記憶した番組コードが一致しているか否かを前記判定手段に判定させる手段を備える
ことを特徴とする請求項１に記載の録画装置。
【請求項３】
前記開始手段が番組の録画を開始させた場合、前記取得手段が取得している番組コードを記憶する手段と、
記憶した該番組コード及び前記録画手段が番組の録画を開始した後に前記取得手段が取得している番組コードが一致しているか否かを判定する開始後判定手段と、
前記録画手段が番組を録画している場合、前記開始後判定手段が否と判定したとき、前記録画手段による番組の録画を一時停止させる一時停止手段と
を備えることを特徴とする請求項１又は請求項２に記載の録画装置。
【請求項４】
前記録画手段が番組の録画を一時停止している場合、前記開始後判定手段が一致していると判定したとき、前記録画手段による番組の録画を再開させる再開手段と
を備えることを特徴とする請求項３に記載の録画装置。
【請求項５】
前記録画手段が録画を一時停止してから所定時間後の時刻を前記計時手段が計時した場合、番組の録画を停止させる手段を備える
ことを特徴とする請求項３又は請求項４に記載の録画装置。
【請求項６】
番組の録画を停止する録画停止時刻を受け付ける手段と、
前記録画手段が録画を一時停止した場合、録画停止時刻を該録画停止時刻より後の時刻に変更する手段と
を備えることを特徴とする請求項３乃至請求項５のいずれか一つに記載の録画装置。
【請求項７】
番組の録画を停止する録画停止時刻を受け付ける手段と、
前記判定手段が一致していると判定した場合、録画停止時刻を該録画停止時刻より後の時刻に変更する手段と
を備えることを特徴とする請求項１乃至請求項５のいずれか一つに記載の録画装置。
【請求項８】
設定時刻より所定時間前の時刻を前記計時手段が計時した場合、前記記憶手段が番組コードを記憶したとき、前記受信手段による番組コードの受信を停止させる手段を備える
ことを特徴とする請求項１乃至請求項７のいずれか一つに記載の録画装置。
【発明の詳細な説明】
【技術分野】
【０００１】
本発明は、録画装置に関し、特に放送された番組及び該番組に付加された番組コードを受信し、受信した番組コードに基づいて、番組の録画を開始又は停止するように構成してある録画装置に関する。
【背景技術】
【０００２】
従来の録画装置は、受信した番組の放送信号から、番組に付加されている番組コード（ＶＰＳ：Ｖｉｄｅｏ  Ｐｒｏｇｒａｍ  Ｓｙｓｔｅｍ）を抽出し、デコードする番組コードデコーダを備えている。番組コードは、放送局から放送される番組に付加された番組固有のデータであり、放送局から一の番組が送信されている間中、同一の番組コードが番組に付加されて送信され続け、一の番組の放送が終了した場合、前記番組コードと異なる番組コード、つまり次に放送される番組に固有の番組コードが放送される。
【０００３】
録画装置は、番組の録画を開始した場合、録画する番組の番組コードをＲＡＭに記憶し、該番組と同一の番組コードを受信している間、番組の録画を継続し、番組の録画開始時に記憶した番組コードと異なる番組コードを受信した場合、番組の録画を停止するように構成してある。
【０００４】
従来の録画装置においては、録画を所望する番組の放送終了時刻が延長された場合であっても、番組を最後まで録画し、異なる番組コードを受信した場合、つまり前記番組の放送が終了した場合、録画を停止することができる。
【特許文献１】特開平２−２０２４４号公報
【発明の開示】
【発明が解決しようとする課題】
【０００５】
しかしながら、従来の録画装置においては、録画を所望する番組の前番組が延長された場合、予め設定された録画開始の設定時刻で前番組の番組コードを記憶し、録画を開始するため、前番組の次に放送される所望の番組が録画されない虞があるという問題があった。
【０００６】
また、一の番組を録画している場合、該一の番組の番組コードと異なる番組コードが付加された臨時の番組を受信したとき、一の番組の録画を停止するため、臨時の番組の後に前記一の番組の放送が再開されたとしても、前記一の番組を録画することができないという問題があった。
【０００７】
本発明は斯かる事情に鑑みてなされたものであり、設定時刻の所定時間前に受信した番組コードを記憶し、設定時刻に受信した番組コード及び記憶した番組コードが一致しない場合、録画を開始するように構成することにより、設定時刻より前に放送終了予定の番組が延長した場合であっても、延長した番組を録画せず、次に放送される番組を冒頭から録画することができる録画装置を提供することを目的とする。
【０００８】
また、録画を開始したときに受信した番組コードを記憶し、記憶した該番組コード及び番組を録画しているときに受信した番組コードが一致しない場合、録画を一時停止するように構成することにより、録画している番組と異なる他の番組を受信した場合、録画を一時停止し、録画を要しない他の番組を録画することを防ぐことができる録画装置を提供することを他の目的とする。
【０００９】
更に、番組の録画を一時停止している場合に受信した番組コード及び録画を開始したときに受信した番組コードが一致した場合、録画を再開するように構成することにより、録画の一時停止前に録画していた番組と同一の番組コードを有する番組を続けて録画がすることができる録画装置を提供することを他の目的とする。
【００１０】
更にまた、番組の録画が所定時間以上一時停止した場合、番組の録画を停止することにより、放送が中止された番組の録画を終了することができる録画装置を提供することを他の目的とする。
【００１１】
更にまた、番組の録画を一時停止した場合、設定された番組の録画停止時刻を遅らせるように構成することにより、録画を一時停止したために放送終了時刻が遅延する場合であっても、番組を最後まで録画することができる録画装置を提供することを他の目的とする。
【００１２】
更にまた、設定時刻より後の時刻から番組の録画を開始した場合、設定された番組の録画停止時刻を遅らせるように構成することにより、設定時刻より前に放送終了予定の番組が延長したために放送終了時刻が遅延する場合であっても、番組を最後まで録画することができる録画装置を提供することを他の目的とする。
【００１３】
更にまた、設定時刻の所定時間前に受信した番組コードを記憶した場合、受信部による番組コードの受信を停止させるように構成することにより、電力消費を抑えることができる録画装置を提供することを他の目的とする。
【課題を解決するための手段】
【００１４】
本発明に係る録画装置は、画像を有する番組及び該番組に付加されていて、前記番組に対応する番組コードを受信する受信手段と、該受信手段が受信した番組を録画する録画手段と、番組の録画を開始する設定時刻を受け付ける受付手段と、計時手段とを備える録画装置において、前記受付手段が受け付けた設定時刻より所定時間前の時刻を前記計時手段が計時した場合、前記受信手段が受信している番組コードを逐次取得する取得手段と、前記所定時間前の時刻を前記計時手段が計時した場合、前記取得手段が取得している番組コードを記憶する記憶手段と、前記計時手段が前記設定時刻を計時した場合、前記取得手段が取得している番組コード及び前記記憶手段が記憶した番組コードが一致しているか否かを判定する判定手段と、該判定手段が否と判定した場合、前記録画手段による番組の録画を開始させる開始手段とを備えることを特徴とする。
【００１５】
本発明にあっては、取得手段は、設定時刻より所定時間前の時刻に受信した番組に付加された一の番組コードを所得し、記憶手段は取得した一の番組コードを記憶する。そして、判定手段は、設定時刻に取得手段が取得している番組コードと、記憶手段が記憶した番組コードとが一致しないと判定した場合、開始手段は、録画手段による番組の録画を開始させる。従って、設定時刻から放送される番組の前の番組が延長した場合、延長した番組の録画を行なわない。
【００１６】
本発明に係る録画装置は、前記判定手段が一致していると判定した場合、前記取得手段が取得している番組コード及び前記記憶手段が記憶した番組コードが一致しているか否かを前記判定手段に判定させる手段を備えることを特徴とする。
【００１７】
本発明にあっては、設定時刻より所定時間前に取得手段が取得した番組コード及び設定時刻に取得している番組コードが一致していると判定手段が判定した場合、つまり、設定時刻と該設定時刻の所定時間前に受信した番組が同一である場合、番組の録画を開始せずに、設定時刻より後に取得手段が取得している番組コード及び設定時刻に取得した番組コードが一致しているか否かを続けて判定する。そして、否と判定手段が判定した場合、つまり、設定時刻後に受信した番組が、設定時刻の所定時間前に受信した番組と異なる場合、開始手段は番組の録画を開始させる。
【００１８】
本発明に係る録画装置は、前記開始手段が番組の録画を開始させた場合、前記取得手段が取得している番組コードを記憶する手段と、記憶した該番組コード及び前記録画手段が番組の録画を開始した後に前記取得手段が取得している番組コードが一致しているか否かを判定する開始後判定手段と、前記録画手段が番組を録画している場合、前記開始後判定手段が否と判定したとき、前記録画手段による番組の録画を一時停止させる一時停止手段とを備えることを特徴とする。
【００１９】
本発明によれば、開始手段が番組の録画を開始させた場合、取得手段が取得している番組コード、即ち録画する番組の番組コードを記憶する。そして、録画手段が番組の録画を開始したときに取得手段が取得した番組コード及び録画を開始した後に取得手段が取得している番組コードが一致していないと判定手段が判定した場合、つまり、録画を開始したときに受信した番組と異なる番組を受信手段が受信している場合、停止手段は、録画手段による番組の録画を一時停止させる。従って、同一の番組コードが付加された番組のみを録画することができる。
【００２０】
本発明に係る録画装置は、前記録画手段が番組の録画を一時停止している場合、前記開始後判定手段が一致していると判定したとき、前記録画手段による番組の録画を再開させる再開手段とを備えることを特徴とする。
【００２１】
本発明によれば、番組の録画を一時停止している場合、取得手段が取得している番組コード及び録画を開始したときに取得手段が取得した番組コードが一致していると判定したとき、つまり、録画の一時停止前に録画していた番組と同一の番組を再び受信したとき、録画手段による番組の録画を再開させる。従って、録画している一の番組の途中に他の番組が割り込んで放送された場合であっても、一の番組のみを最後まで録画することができる。
【００２２】
本発明に係る録画装置は、前記録画手段が録画を一時停止してから所定時間後の時刻を前記計時手段が計時した場合、番組の録画を停止させる手段を備えることを特徴とする。
【００２３】
本発明によれば、所定時間以上、録画を一時停止した場合、録画手段による番組の録画を停止する。従って、録画していた番組の放送が中止された場合、録画手段による番組の録画を停止させることができる
【００２４】
本発明に係る録画装置は、番組の録画を停止する録画停止時刻を受け付ける手段と、前記録画手段が録画を一時停止した場合、録画停止時刻を該録画停止時刻より後の時刻に変更する手段とを備えることを特徴とする。
【００２５】
本発明によれば、設定時刻に取得した番組コード及び設定時刻の所定時間前に取得した番組コードが一致していると判定手段が判定した場合、設定時刻前から放送されている番組が延長されていて、該番組の次に放送される番組の放送終了時刻が遅延する虞があるが、録画停止時刻を、該録画停止時刻より後の時刻、例えば放送終了時刻の遅延時間以上後の時刻に変更することにより、前記番組を最後まで録画することができる。
【００２６】
本発明に係る録画装置は、番組の録画を停止する録画停止時刻を受け付ける手段と、前記判定手段が一致していると判定した場合、録画停止時刻を該録画停止時刻より後の時刻に変更する手段とを備えることを特徴とする。
【００２７】
本発明によれば、録画手段が番組の録画を一時停止した場合、該番組の放送終了時刻が遅延する虞があるが、録画停止時刻を、該録画停止時刻より後の時刻、例えば一時停止時間以上後の時刻に変更することにより、前記番組を最後まで録画することができる。
【００２８】
本発明に係る録画装置は、設定時刻より所定時間前の時刻を前記計時手段が計時した場合、前記記憶手段が番組コードを記憶したとき、前記受信手段による番組コードの受信を停止させる手段を備えることを特徴とする。
【００２９】
本発明によれば、設定時刻より所定時間前の時刻に受信した番組コードを記憶した場合、前記受信手段による番組コードの受信を停止させる。つまり、受信した番組コードを用いた処理を行なわない所定時間の間、受信手段による番組コードの受信を停止させ、受信手段による電力消費を抑えることができる。
【発明の効果】
【００３０】
本発明によれば、設定時刻より前に放送終了予定の番組が延長した場合であっても、延長した番組を録画せず、次に放送される番組を冒頭から録画することができる。
【００３１】
本発明によれば、録画している番組と異なる他の番組を受信した場合、録画を一時停止し、録画を要しない他の番組を録画することを防ぐことができる。
【００３２】
本発明によれば、録画の一時停止前に録画していた番組と同一の番組コードを有する番組を続けて録画がすることができる。
【００３３】
本発明によれば、放送が中止された番組の録画を停止することができる。
【００３４】
本発明によれば、録画を一時停止したために放送終了時刻が遅延する場合であっても、番組を最後まで録画することができる。
【００３５】
本発明によれば、設定時刻より前に放送終了予定の番組が延長したために放送終了時刻が遅延する場合であっても、番組を最後まで録画することができる。
【００３６】
本発明によれば、番組コードに関する処理を実行しない間、受信手段は受信を停止するため、受信手段の電力消費を抑えることができる。
【発明を実施するための最良の形態】
【００３７】
以下、本発明をその実施の形態を示す図面に基づいて詳述する。
（実施の形態１）
図１は、本発明の実施の形態１に係る録画装置のブロック図である。図中１はチューナ回路（受信手段）であり、チューナ回路１には、アンテナＡで受信した番組及び番組コードを含む放送信号が入力される。番組コードは、放送局から放送される番組に付加された番組固有のデータであり、放送局から一の番組が送信されている間中、同一の番組コードが番組に付加されて送信され続け、一の番組の放送が終了した場合、前記番組コードと異なる番組コードが放送される。
【００３８】
チューナ回路１は、入力された放送信号から特定の番組を選局し、選局した番組の放送信号を信号処理回路２に出力する。チューナ回路１による選局は、マイクロコンピュータを用いてなる制御部４により制御される。
【００３９】
制御部４には、テンキー、キャンセルボタン、決定ボタン等を有する操作部９が接続されており、制御部４は、操作部９の操作状態を検出することで、番組の録画を開始する予定の設定時刻及び録画チャンネルを受け付ける。制御部４は、受け付けた設定時刻及び録画チャンネルに基づいて、チューナ回路１による選局、録画等を制御する。制御部４は、録画に関する処理を実行するためのプログラムを記憶したＲＯＭ６、及び一時記憶用のＲＡＭ７を備え、時刻ｔを計時する時計部４ａ（計時手段）を内蔵している。時計部４ａは、時刻ｔを計時する機能、時間を計時するタイマー機能を有している。
【００４０】
信号処理回路２は、チューナ回路１から出力された放送信号から映像及び音声信号を検波する検波回路、検波した映像及び音声信号をデジタルの映像データ及び音声データに変換するＡＤ変換回路、ＡＤ変換した映像データ及び音声データを所定の圧縮伸張方式で圧縮する圧縮伸張回路等を備えている。信号処理回路２は、圧縮した映像データ及び音声データを録画部５に与える。また、信号処理回路２は、チューナ回路１から出力された放送信号を番組コードデコーダ３に与える。
【００４１】
録画部５は、信号処理回路２から与えられた映像データ及び音声データを、ハードディスク、ＤＶＤ等の記録媒体Ｍに応じて変調し、変調した映像データ及び音声データを記録媒体Ｍに記録、つまり選局された番組を録画する。
【００４２】
番組コードデコーダ３は、信号処理回路２から与えられた放送信号から逐次番組コードを抽出し、抽出した番組コードをＡＤ変換した後、デコードして制御部４に出力する。
【００４３】
また、制御部４には、液晶の表示部８が接続されている。表示部８は、制御部４から出力された信号に基づいて、設定時刻、録画チャンネル等を表示する。更に、録画装置は、チューナ回路１、信号処理回路２、番組コードデコーダ３、及び録画部５に給電する給電部１０を備えている。給電部１０による給電及び給電の停止は制御部４により制御させる。
【００４４】
図２及び図３は、制御部４の録画に関する処理手順を示すフローチャートである。制御部４は、操作部９の操作状態を検出することで、設定時刻及び録画チャンネルを受け付ける（ステップＳ１）。具体的には、制御部４は、テンキーの操作状態を検出することで、操作されたテンキーに応じた４つの数字を設定時刻の時間及び分としてＲＡＭ７に書き込み、操作されたテンキーに応じた数字を表示部８に表示させるための画像データを表示部８に出力する。そして、決定ボタンの操作を検出した場合、設定時刻の受け付けを完了する。同様に、テンキーの操作状態を検出することで、操作されたテンキーに応じた録画チャンネルをＲＡＭ７に書き込む。
【００４５】
そして、制御部４は、時計部４ａの計時結果を検出し、ＲＡＭ７が記憶している設定時刻の１０分前を時計部４ａが計時しているか否かを判定する（ステップＳ２）。設定時刻の１０分前を時計部４ａが計時していると判定した場合（ステップＳ２：ＹＥＳ）、制御部４は給電部１０による給電を開始させる制御信号を給電部１０に出力する（ステップＳ３）。前記制御信号が出力された場合、給電部１０は、チューナ回路１、信号処理回路２、番組コードデコーダ３、録画部５等に給電を開始する。
【００４６】
次いで、制御部４は、ＲＡＭ７が記憶している録画チャンネルの番組を選局するための制御信号をチューナ回路１に出力する（ステップＳ４）。次いで、制御部４は、番組コードデコーダ３から出力された番組コードを取得し（ステップＳ５）、取得した番組コードをＲＡＭ７に書き込む（ステップＳ６）。そして、制御部４は、給電部１０による給電を停止させる制御信号を給電部１０に出力する（ステップＳ７）。
【００４７】
ステップＳ７の処理を終えた場合、又はステップＳ２で設定時刻の１０分前を時計部４ａが計時していないと判定した場合（ステップＳ２：ＮＯ）、制御部４は、時計部４ａの計時結果を検出し、時計部４ａが設定時刻を計時しているか否かを判定する（ステップＳ８）。否と判定した場合（ステップＳ８：ＮＯ）、制御部４は、処理をステップＳ２に戻す。時計部４ａが設定時刻を計時していると判定した場合（ステップＳ８：ＹＥＳ）、制御部４は給電部１０による給電を開始させ（ステップＳ９）、番組コードデコーダ３から番組コードを取得する（ステップＳ１０）。
【００４８】
そして、制御部４は、ステップＳ１０で取得した番組コード及びＲＡＭ７が記憶している番組コード、即ち設定時刻前の番組コードが一致しているか否かを判定する（ステップＳ１１）。一致していると判定した場合（ステップＳ１１：ＹＥＳ）、制御部４は、処理をステップＳ１０に戻す。一致していないと判定した場合（ステップＳ１１：ＮＯ）、制御部４は、一致していないと判定した番組コード、即ちステップＳ１０で取得した番組コードをＲＡＭ７に書き込み（ステップＳ１２）、一時停止フラグに０を設定する（ステップＳ１３）。一時停止フラグは、録画を一時停止しているか否かを示すためのデータであり、録画開始時では、録画中であることを示す０を一時停止フラグに設定する。
【００４９】
次いで、制御部４は、録画部５による番組の録画を開始させる制御信号を録画部５に出力する（ステップＳ１４）。そして、制御部４は、番組コードデコーダ３から出力された番組コードを取得し（ステップＳ１５）、取得した番組コード及びステップＳ１２でＲＡＭ７が記憶した番組コード、即ち録画開始時の番組コードが一致しているか否かを判定する（ステップＳ１６）。
【００５０】
一致していると判定した場合（ステップＳ１６：ＹＥＳ）、制御部４は一時停止フラグが１であるか否かを判定する（ステップＳ１７）。一時停止フラグが１であると判定した場合（ステップＳ１７：ＹＥＳ）、つまり、録画部５が一時停止している場合、制御部４は、一時停止フラグに０を設定する（ステップＳ１８）。そして、録画部５による番組の録画を再開させる制御信号を録画部５に出力する（ステップＳ１９）。ステップＳ１９の処理を終えた場合、又はステップＳ１７で一時停止フラグが１でないと判定した場合（ステップＳ１７：ＮＯ）、制御部４は、処理をステップＳ１５に戻す。
【００５１】
ステップＳ１６で一致していないと判定した場合（ステップＳ１６：ＮＯ）、制御部４は、録画部５による番組の録画を一時停止させる制御信号を録画部５に出力する（ステップＳ２０）。
【００５２】
次いで、制御部４は、一時停止フラグが０であるか否かを判定する（ステップＳ２１）。一時停止フラグが０であると判定した場合（ステップＳ２１：ＹＥＳ）、制御部４は、録画の一時停止時間の計時を開始し（ステップＳ２２）、一時停止フラグに１を設定する（ステップＳ２３）。
【００５３】
ステップＳ２３の処理を終えた場合、又はステップＳ２１で一時停止フラグが０でないと判定した場合（ステップＳ２１：ＮＯ）、制御部４は、録画を一時停止してから所定時間、例えば３０分が経過したか否かを判定する（ステップＳ２４）。つまり、制御部４は、一時停止時間が所定時間以上であるか否かを判定する。所定時間が経過したと判定した場合（ステップＳ２４：ＹＥＳ）、制御部４は、録画部５による録画を停止させる制御信号を録画部５に出力し（ステップＳ２５）、録画に関する処理を終了する。所定時間が経過していないと判定した場合（ステップＳ２４：ＮＯ）、制御部４は、処理をステップＳ１５に戻す。
【００５４】
実施の形態１に係る録画装置にあっては、設定時刻より前に放送される予定の番組が延長した場合であっても、延長した番組の次に放送される番組を冒頭から最後まで録画することができる。
【００５５】
また、録画している番組と異なる他の番組を受信した場合、録画を一時停止し、録画を要しない番組が録画されることを防ぐことができる。
更に、録画を一時停止している場合に、録画していた番組の放送が再開された場合、ステップＳ１６及び１９の処理によって該番組の録画を再開することができ、所望の番組のみを録画することができる。
【００５６】
更にまた、録画の一時停止時間が所定時間以上となる場合、番組の録画は停止されるため、録画停止時刻を設定することなく、録画を所望する番組のみを録画することができる。また、録画を所望する番組の放送が中止された場合、自動的に録画を停止することができる。
【００５７】
更にまた、ステップＳ６で番組コードを記憶した後、設定時刻までの間、給電部１０による給電を停止させるため、番組の録画を実行しない間の無駄な電力消費を抑えることができる。
【００５８】
（実施の形態２）
本発明の実施の形態２に係る録画装置は、実施の形態１と同様のチューナ回路１、信号処理回路２、番組コードデコーダ３、制御部４、時計部４ａ、録画部５、ＲＯＭ６、ＲＡＭ７、表示部８、操作部９及び給電部１０を備えている。
【００５９】
図４及び図５は、実施の形態２に係る制御部４の録画に関する処理手順を示すフローチャートである。制御部４は、操作部９の操作状態を検出することで、設定時刻、録画停止時刻、及び録画チャンネルを受け付ける（ステップＳ１０１）。
【００６０】
次いで、制御部４は、番組の録画開始に関するステップＳ１０２乃至ステップＳ１１１の処理を実行する。ステップＳ１０２乃至ステップＳ１１１の処理は、図２に示した実施の形態１に係るステップＳ２乃至ステップＳ１１の処理と同様である。
【００６１】
ステップＳ１１１で、設定時刻前の番組コード及び取得した番組コードが一致していないと判定した場合（ステップＳ１１１：ＮＯ）、制御部４は、時計部４ａの計時結果を検出し、時計部４ａが設定時刻よりも後の時刻ｔを計時しているか否かを判定する（ステップＳ１１２）。時計部４ａが設定時刻よりも後の時刻ｔを計時していると判定した場合（ステップＳ１１２：ＹＥＳ）、制御部４は、録画停止時刻を、該録画停止時刻よりも３０分後の時刻に変更する（ステップＳ１１３）。
【００６２】
ステップＳ１１３の処理を終えた場合、又はステップＳ１１２で時計部４ａが設定時刻以前の時刻ｔを計時していると判定した場合（ステップＳ１１２：ＮＯ）、制御部４は、ステップＳ１１０で取得した録画開始時の番組コードをＲＡＭ７に書き込む（ステップＳ１１４）。そして、制御部４は、一時停止フラグに０を設定する（ステップＳ１１５）。
【００６３】
次いで、制御部４は、録画部５による番組の録画を開始させる制御信号を録画部５に出力する（ステップＳ１１６）。そして、制御部４は、時計部４ａの計時結果を検出し、ＲＡＭ７が記憶している録画停止時刻を時計部４ａが計時しているか否かを判定する（ステップＳ１１７）。時計部４ａが録画停止時刻を計時していると判定した場合（ステップＳ１１７：ＹＥＳ）、制御部４は、録画部５による録画を停止させる制御信号を録画部５に出力し（ステップＳ１１８）、録画に関する処理を終了する。時計部４ａが録画停止時刻を計時していないと判定した場合（ステップＳ１１７：ＮＯ）、制御部４は、番組コードデコーダ３から出力された番組コードを取得する（ステップＳ１１９）。
【００６４】
次いで、制御部４は、番組コード及びステップＳ１１４でＲＡＭ７が記憶した番組コードが一致しているか否かを判定する（ステップＳ１２０）。一致していないと判定した場合（ステップＳ１２０：ＮＯ）、制御部４は、録画部５による録画を一時停止させる制御信号を録画部５に出力する（ステップＳ１２１）。
【００６５】
次いで、制御部４は、一時停止フラグが０であるか否かを判定する（ステップＳ１２２）。一時停止フラグが０であると判定した場合（ステップＳ１２２：ＹＥＳ）、制御部４は、録画を一時停止する一時停止時間の計時を開始し（ステップＳ１２３）、一時停止フラグに１を設定する（ステップＳ１２４）。ステップＳ１２４の処理を終えた場合、又はステップＳ１２２で一時停止フラグが０でないと判定した場合（ステップＳ１２２：ＮＯ）、制御部４は、処理をステップＳ１１７に戻す。
【００６６】
ステップＳ１２０で一致していると判定した場合（ステップＳ１２０：ＹＥＳ）、制御部４は、一時停止フラグが１であるか否かを判定する（ステップＳ１２５）。一時停止フラグが１であると判定した場合（ステップＳ１２５：ＹＥＳ）、一時停止フラグに０を設定する（ステップＳ１２６）。そして、制御部４は、録画停止時刻を、該録画停止時刻より停止時間後の時刻に変更する（ステップＳ１２７）。変更された録画停止時刻は、制御部４がＲＡＭ７に書き込む。次いで、録画部５による番組の録画を再開させる制御信号を録画部５に出力する（ステップＳ１２８）。ステップＳ１２８の処理を終えた場合、又はステップＳ１２５で一時停止フラグが１でないと判定した場合（ステップＳ１２５：ＮＯ）、制御部４は処理をステップＳ１１７に戻す。
【００６７】
実施の形態２に係る録画装置にあっては、録画を開始する時刻が、ステップＳ１０１で制御部４が受け付けた設定時刻より遅れた場合、ステップＳ１１３の処理によって、録画停止時刻を該録画停止時刻よりも所定時間後の時刻に変更するため、録画を所望する番組の前の番組が延長されたとしても、番組を最後まで録画することができる。
【００６８】
また、番組の録画途中で番組の録画を一時停止した場合、ステップＳ１２７の処理によって、録画停止時刻を該録画停止時刻よりも一時停止時間後の時刻に変更するため、録画を所望する番組を最後まで録画することができる。
【００６９】
実施の形態２に係る録画装置の他の処理、構成、作用及び効果は、実施の形態１に係る録画装置の処理、構成、作用及び効果と同様であるため、対応する箇所には同様の符号を付してその詳細な説明を省略する。
【図面の簡単な説明】
【００７０】
【図１】本発明の実施の形態１に係る録画装置のブロック図である。
【図２】制御部の録画に関する処理手順を示すフローチャートである。
【図３】制御部の録画に関する処理手順を示すフローチャートである。
【図４】実施の形態２に係る制御部の録画に関する処理手順を示すフローチャートである。
【図５】実施の形態２に係る制御部の録画に関する処理手順を示すフローチャートである。
【符号の説明】
【００７１】
１  チューナ回路
２  信号処理回路
３  番組コードデコーダ
４  制御部
４ａ  時計部
５  録画部
６  ＲＯＭ
７  ＲＡＭ
８  表示部
９  操作部
１０  給電部
Ａ  アンテナ
Ｍ  記録媒体
【図１】
2006319920.tif 000003
【図２】
2006319920.tif 000004
【図３】
2006319920.tif 000005
【図４】
2006319920.tif 000006
【図５】
2006319920.tif 000007